【手続補正書】
【提出日】平成23年11月4日(2011.11.4)
【手続補正１】
【補正対象書類名】特許請求の範囲
【補正対象項目名】全文
【補正方法】変更
【補正の内容】
【特許請求の範囲】
【請求項１】
一次薬剤構成コンピュータと副次薬剤構成コンピュータの間で薬剤構成情報を同期する方法であって、
副次薬剤構成コンピュータにおいて一次薬剤構成コンピュータから薬剤構成変更情報を受信するステップと、
含める情報セットを形成するために薬剤構成変更情報のサブセットを選択する選別規則を適用するステップであって、選択されない薬剤構成変更情報が排除する情報セットを形成するステップと、
排除する情報セットを捨てるステップと、
含める情報セットを副次薬剤構成コンピュータにおけるリポジトリの中に格納するステップと、
更新された薬剤構成情報を生成するためにリポジトリの中にすでに格納された対応する薬剤構成情報の上に含める情報セットを上書きするステップと、
更新された薬剤構成情報の少なくとも一部分を副次薬剤構成コンピュータから管理クライアントコンピュータに伝送するステップとを含む、方法。
【請求項２】
薬剤構成情報は、処方薬剤情報である、請求項１に記載の方法。
【請求項３】
一次薬剤構成コンピュータが、薬剤処方コンピュータを備える中央医療機関コンピュータである、請求項１に記載の方法。
【請求項４】
副次薬剤構成コンピュータが、薬剤構成変更情報に選別規則を適用するステップを実行する、請求項１に記載の方法。
【請求項５】
副次薬剤構成コンピュータから選別規則を入力する要求を伝送することを可能にするステップと、
副次薬剤構成コンピュータにおいて選別規則を受信することを可能にするステップとをさらに含む、請求項１に記載の方法。
【請求項６】
副次薬剤構成コンピュータにおいて選別規則を受け取るための選別規則インタフェーススクリーンを生成することを可能にするステップをさらに含む、請求項１に記載の方法。
【請求項７】
管理クライアントコンピュータから副次薬剤構成コンピュータにおいて、含める情報セットについての実施決定を受信することを可能にするステップをさらに含む、請求項１に記載の方法。
【請求項８】
実施決定が、含める情報セットを受け入れて、受け入れられた、選別された薬剤構成変更情報を確立することを含む、請求項７に記載の方法。
【請求項９】
副次システム処方データベースと副次臨床情報システムデータベースの少なくとも１つに、受け入れられた、選別された薬剤構成変更情報を伝送することを可能にするステップと、
副次システム処方データベースと副次臨床情報システムデータベースの少なくとも１つに、受け入れられた、選別された薬剤構成変更情報を組み込むことを可能にするステップとをさらに含む、請求項８に記載の方法。
【請求項１０】
薬剤構成情報が、処方薬剤情報を含む、請求項１に記載の方法。
【請求項１１】
処方薬剤情報が、一般名、ブランド名、外部識別子、強さの量、強さの単位、ボリューム量、ボリューム単位、剤形コード、および剤形説明から成るグループから選択される、請求項１０に記載の方法。
【請求項１２】
薬剤構成情報が、一般名、ブランド名、規則セットタイプ、濃度、投薬単位、ハード下限、ソフト下限、ソフト上限、およびハード上限から成るグループから選択される、請求項１に記載の方法。
【請求項１３】
選別規則が、剤形および薬剤識別子から成るグループから選択される、請求項１に記載の方法。
【請求項１４】
薬剤構成情報を同期するためのシステムであって、
薬剤構成コンテンツソースから薬剤構成コンテンツを受信するように構成され、薬剤構成変更情報を生成するように構成され、さらに薬剤構成変更情報を伝送するように構成された一次薬剤構成コンピュータと、
一次薬剤構成コンピュータから薬剤構成変更情報を受信するように構成され、さらに含める情報セットを形成するために薬剤構成変更情報のサブセットを選択する選別規則を適用することであって、選択されない薬剤構成変更情報が排除する情報セットを形成するように構成され、排除する情報セットを捨て、含める情報セットをリポジトリの中に格納し、更新された薬剤構成情報を生成するためにリポジトリの中にすでに格納された対応する薬剤構成情報の上に含める情報セットを上書きし、更新された薬剤構成情報の少なくとも一部分を管理クライアントコンピュータに伝送するようにさらに構成された副次薬剤構成コンピュータとを備える、システム。
【請求項１５】
薬剤構成情報を同期するためのシステムであって、
処方薬剤情報を備える薬剤構成コンテンツを受信するように構成された、薬剤構成変更情報を生成し、さらに薬剤構成変更情報を伝送するように構成された薬局アプリケーションを備える一次薬剤構成コンピュータと、
一次薬剤構成コンピュータから薬剤構成変更情報を受信するように構成されたインタフェースアプリケーションを備え、含める情報セットを形成するために薬剤構成変更情報のサブセットを選択する選別規則を適用することであって、選択されない薬剤構成変更情報が排除する情報セットを形成することによって薬剤構成変更情報を選別するように構成された選別アプリケーションをさらに備え、含める情報セットをリポジトリの中に格納するようにさらに構成され、リポジトリの中に格納された薬剤構成情報を管理するように構成されたリポジトリ管理アプリケーションをさらに備え、リポジトリ管理アプリケーションが、含める情報セットについての実施決定を受信するために、管理クライアントコンピュータに、含める情報セットの少なくとも一部分を伝送するように構成された、副次薬剤構成コンピュータとを備える、システム。
【請求項１６】
一次薬剤構成コンピュータと副次薬剤構成コンピュータの間で薬剤構成情報を同期するためのコンピュータプログラム製品であって、
副次薬剤構成コンピュータにおいて一次薬剤構成コンピュータから薬剤構成変更情報を受信するための第１のコードセグメントと、
含める情報セットを形成するために薬剤構成変更情報のサブセットを選択する選別規則を適用するための第２のコードセグメントであって、選択されない薬剤構成変更情報が排除する情報セットを形成する第２のコードセグメントと、
含める情報セットをリポジトリの中に格納するための第３のコードセグメントと、
含める情報の少なくとも一部分を管理クライアントコンピュータに伝送するための第４のコードセグメントとを含む、ソフトウェアで符号化されたコンピュータ読み取り可能媒体を含む、コンピュータプログラム製品。
【請求項１７】
副次薬剤構成コンピュータから選別規則を入力する要求を伝送するための第５のコードセグメントと、
副次薬剤構成コンピュータにおいて選別規則を受信するための第６のコードセグメントとをさらに含む、請求項１６に記載のコンピュータプログラム製品。
【請求項１８】
副次薬剤構成コンピュータにおいて選別規則を受け取るための選別規則インタフェーススクリーンを生成するための第７のコードセグメントをさらに含む、請求項１６に記載のコンピュータプログラム製品。
【請求項１９】
管理クライアントコンピュータから副次薬剤構成コンピュータにおいて、含める情報セットを受け入れる実施決定を受信するための第８のコードセグメントをさらに含む、請求項１６に記載のコンピュータプログラム製品。
【請求項２０】
副次システム処方データベースの少なくとも１つに、受け入れられた含める情報セットを伝送するための第９のコードセグメントと、
副次システム処方データベースに、受け入れられた含める情報セットを組み込むための第１０のコードセグメントとをさらに含む、請求項１９に記載のコンピュータプログラム製品。